【手続補正書】
【提出日】平成18年10月31日(2006.10.31)
【手続補正１】
【補正対象書類名】特許請求の範囲
【補正対象項目名】全文
【補正方法】変更
【補正の内容】
【特許請求の範囲】
【請求項１】
留置管状要素が貫通している穿孔傷部を止血する装置において、前記装置は、頂面及び底面を有し且つ中央領域の近傍に前記管状要素が貫通するための開口を有するパッドと、前記開口から前記パッドの周辺個所へ延びる細長切込みと、前記パッドの前記底面に配置した有効量の止血剤とを有する、穿孔傷部の止血装置。
【請求項２】
止血剤はグルコサミンの陽イオン性生体高分子を含む請求項１の装置。
【請求項３】
グルコサミンの生体高分子は、ポリＮ−アセチルグルコサミン、ポリＤ−グルコサミン、ポリＮ−アセチルグルコサミンの酢酸塩、及びポリＤ−グルコサミンの酢酸塩よりなる群から選択した一種又は二種である請求項２の装置。
【請求項４】
前記開口は前記パッドの中心部にある請求項１の装置。
【請求項５】
前記開口及び前記切り込みはスリットを形成する請求項１の装置。
【請求項６】
前記スリットは前記パッドの中央領域に対して傾斜角度を有する請求項５の装置。
【請求項７】
前記傾斜角度は４５度である請求項６の装置。
【請求項８】
前記パッドの頂面には中央滑り止め食刻領域を有する請求項１の装置。
【請求項９】
前記切込みは前記パッドの前記中央領域に対して傾斜角度を有する請求項１の装置。
【請求項１０】
前記切込みは前記パッドの前記中央領域に対して４５度の傾斜角度を有する請求項９の装置。
【請求項１１】
留置管状要素が貫通している穿孔傷部を止血する装置において、前記装置は、底面に止血層を有し且つ貫通孔を有するディスクを備え、前記開口は、前記留置管状要素を前記ディスクを貫通し引出可能にしており、そして前記ディスクはその周辺個所へ延びる細長切込みを有している、穿孔傷部の止血装置。
【請求項１２】
前記止血層はグルコサミンの陽イオン性生体高分子よりなる請求項１１の装置。
【請求項１３】
前記グルコサミンの生体高分子は、ポリＮ−アセチルグルコサミン、ポリＤ−グルコサミン、ポリＮ−アセチルグルコサミンの酢酸塩、及びポリＤ−グルコサミンの酢酸塩よりなる群から選択した一種又は二種である請求項１２の装置。
【請求項１４】
前記開口及び前記切込みは前記ディスクの中央部から縁部へ延びるスリットである請求項１１の装置。
【請求項１５】
前記スリットは前記ディスクの中央領域に対して傾斜角度を有する請求項１４の装置。
【請求項１６】
前記スリットは前記ディスクの中央領域に対して４５度の傾斜角度を有する請求項１５の装置。
【請求項１７】
更に前記ディスクの頂面に中央滑り止め食刻領域を有する請求項１１の装置。
【請求項１８】
前記切込みは前記ディスクの中央領域に対して傾斜角度を有する請求項１１の装置。
【請求項１９】
前記切込みは前記ディスクの中央領域に対して４５度の傾斜角度を有する請求項１８の装置。
【請求項２０】
穿孔管状要素が貫通している穿孔傷部の止血を行うための装置であって、中央領域に前記穿孔管状要素が貫通させる開口を有する接着性包帯と、前記開口から延びる切込みと、前記接着性包帯の中央部底面に配置した有効量の止血剤とより構成される止血装置。
【請求項２１】
前記止血層はグルコサミンの陽イオン性生体高分子よりなる請求項２０の装置。
【請求項２２】
前記グルコサミンの生体高分子は、ポリＮ−アセチルグルコサミン、ポリＤ−グルコサミン、ポリＮ−アセチルグルコサミンの酢酸塩、及びポリＤ−グルコサミンの酢酸塩よりなる群から選択した一種又は二種である請求項２１の装置。
【請求項２３】
前記開口及び前記切込みは前記ディスクのスリットを形成している請求項２０の装置。
【請求項２４】
前記スリットは前記包帯の中央領域に対して傾斜角度を有する請求項２３の装置。
【請求項２５】
更に前記接着性包帯の頂面に中央滑り止め食刻領域を有する請求項２０の装置。
【請求項２６】
前記切込みは前記接着性包帯の周縁に延びている請求項２０の装置。
【請求項２７】
前記接着性包帯は前記中央部から延びる２つの接着端を有している請求項２０の装置。
【請求項２８】
更に前記２つの接着端の接着側部を覆う少なくとも１つの剥離性カバーが設けられている請求項２７の装置。
【請求項２９】
前記切込みは前記接着性包帯の前記中央部に対して傾斜角度を有する請求項２０の装置。
【請求項３０】
前記切込みは前記接着性包帯の前記中央部に関して４５度の傾斜角度を有する請求項２９の装置。
【請求項３１】
留置管状要素が貫通している穿孔傷部の止血を行う装置において、前記装置は中央領域を有する接着性裏材と、該接着性裏材の前記中央領域に固着された吸収パッドと、前記吸収パッドの底面に固着された止血パッドとを有する包帯を含み、前記止血パッドはその底面に固着された止血剤を有し、更に前記止血パッドはそのほぼ中央部位に第１の開口とこの第１の開口から前記止血パッドの周部に延びている第１の細長切込みを有し、前記吸収パッドは前記第１の開口と前記第１の細長切込みの上に重畳する第２の開口と第２の細長切込みを有し、前記裏材は前記第２の開口と前記第２の細長切込みの上に重畳する第３の開口と第３の細長切込みを有し、前記第１、第２及び第３の開口は前記管状要素を通過させることができるように構成されている止血装置。
【請求項３２】
前記止血層はグルコサミンの陽イオン性生体高分子よりなる請求項３１の装置。
【請求項３３】
前記グルコサミンの生体高分子は、ポリＮ−アセチルグルコサミン、ポリＤ−グルコサミン、ポリＮ−アセチルグルコサミンの酢酸塩、及びポリＤ−グルコサミンの酢酸塩よりなる群から選択した一種又は二種である請求項３２の装置。
【請求項３４】
前記包帯はさらに前記接着性裏材の頂面に固着されたディスクを有し、前記ディスクは前記接着性裏材の前記第３の開口と第３の切込みに重畳する第４の開口と第４の切込みを有している請求項３１の装置。
【請求項３５】
さらに前記ディスクの頂面に中央滑り止め食刻領域を有する請求項３４の装置。
【請求項３６】
前記接着性裏材は２つの接着端を有する請求項３１の装置。
【請求項３７】
さらに前記２つの接着端を接着材側を保護する少なくとも１つの剥離被覆を有する請求項３６の装置。
【請求項３８】
前記接着性裏材の前記第３の細長切込みはほぼ楔形をなしている請求項３１の装置。
【請求項３９】
前記第１の細長切込みと前記第２の細長切込みは前記接着性裏材の中央領域に関して共通の傾斜に沿っている請求項３１の装置。
【請求項４０】
前記共通の傾斜は前記接着性裏材の中央領域に対して４５度をなしている請求項３９の装置。
【請求項４１】
留置管状要素が貫通している穿孔傷部の止血を行う装置において、前記装置は中央領域を有する接着性裏材と、該接着性裏材の前記中央領域に固着された吸収パッドと、前記吸収パッドの底面に固着された止血パッドとを有する包帯を含み、前記止血パッドはそのほぼ中央部位から延びている第１の細長切込みを有し、前記吸収パッドは前記止血パッドの前記第１の細長切込みの上に重畳する第２の細長切込みを有し、前記接着性裏材は前記吸着性パッドの前記第２の細長切込みの上に重畳する第３の細長切込みを有し、前記第１、第２及び第３の細長切込みは前記管状要素を通過させることができるように構成されている止血装置。
【請求項４２】
更に前記包帯の頂面に固着されたディスクであって前記接着性裏材の前記第３の細長切込みの上に第４の細長切込みを有するディスクを含む請求項４１の装置。
【請求項４３】
前記第１の細長切込みと前記第２の細長切込みは前記接着性裏材の前記中央領域に関して共通の傾斜に沿っている請求項４１の装置。
【請求項４４】
前記共通の傾斜は前記接着性裏材の中央領域に対して４５度の角度をなす請求項４３の装置。